(57)【要約】【課題】非接触通信を利用して著作権管理されたコンテンツのやり取りを行なう。【解決手段】キオスク端末は、ライセンス管理サーバーにネットワーク接続するとともに、複数の非接触通信部を備える。各非接触通信部は、互いに混信せずに独立して通信が可能な通信範囲を持つ。キオスク端末は、第１の非接触通信部によって第１のモバイル端末からコンテンツ・ファイルを取り込み、第２の非接触通信部によって第２のモバイル端末に転送する。また、キオスク端末は、第２の非接触通信部によって第２のモバイル端末との間で課金及び認証を行ない、ライセンス管理サーバーから取得したライセンス鍵を第２のモバイル端末に転送する。【選択図】  図１
2012060555.tif 000002
【特許請求の範囲】
【請求項１】
コンテンツのライセンス鍵を管理するライセンス管理サーバーにネットワーク経由で接続された第１の通信装置と、前記第１の通信装置と第１の非接触通信を行なう第２の通信装置と、前記第１の通信装置と第２の非接触通信を行なう第３の通信装置で構成され、
前記第１の通信装置は、
前記第１の非接触通信により前記第２の通信装置から著作権管理されたコンテンツを受け取るとともに、前記コンテンツを前記第２の非接触通信により前記第３の通信装置に転送し、
前記ネットワーク経由で前記ライセンス管理サーバーから前記コンテンツのライセンス鍵を取得して、前記第２の非接触通信により前記第３の通信装置に前記ライセンス鍵を転送する、
通信システム。
【請求項２】
第１及び第２の非接触通信部とネットワーク通信部を備え、
前記第１の非接触通信部により第２の通信装置から著作権管理されたコンテンツを受け取るとともに、前記コンテンツを前記第２の非接触通信部により第３の通信装置に転送し、
前記ネットワーク通信部によりライセンス管理サーバーから前記コンテンツのライセンス鍵を取得して、前記第２の非接触通信部により前記第３の通信装置に前記ライセンス鍵を転送する、
通信装置。
【請求項３】
前記第３の通信装置に対し前記第２の非接触通信部により課金及び認証処理を行なった後に、前記ライセンス管理サーバーから前記コンテンツのライセンス鍵を取得して、前記第２の非接触通信部により前記第３の通信装置に前記ライセンス鍵を転送する、
請求項２に記載の通信装置。
【請求項４】
前記第３の通信装置に対して課金したことに応じて、前記第２の通信装置に対して前記第１の非接触通信部によりポイントを支払う、
請求項３に記載の通信装置。
【請求項５】
前記第１又は第２の非接触通信部のうち少なくとも一方は、
データを伝送する高周波信号の処理を行なう通信回路部と、
前記通信回路部に接続される高周波信号の伝送路と、
グランドと、
前記グランドに対向して前記高周波信号の波長に対して無視し得る高さだけ離間するように支持される結合用電極と、
前記伝送路を介して前記結合用電極に流れ込む電流を大きくするための共振部と、
を具備し、
前記結合用電極に蓄えられた前記電荷の中心と前記グランドに蓄えられた鏡像電荷の中心を結ぶ線分からなる微小ダイポールを形成し、前記微小ダイポールの方向となす角θがほぼ０度となるように対向して配置された通信相手に向けて前記高周波信号を伝送する、
請求項２に記載の通信装置。
【請求項６】
第１及び第２の非接触通信部とネットワーク通信部を備えた通信装置の通信方法であって、
前記第１の非接触通信部により前記第２の通信装置から著作権管理されたコンテンツを受け取るステップと、
前記コンテンツを前記第２の非接触通信部により前記第３の通信装置に転送するステップと、
前記ネットワーク通信部によりライセンス管理サーバーから前記コンテンツのライセンス鍵を取得するステップと、
前記第３の通信装置に対し前記第２の非接触通信部により課金及び認証処理を行なうステップと、
前記第２の非接触通信部により前記第３の通信装置に前記ライセンス鍵を転送するステップと、
を有する通信方法。
【発明の詳細な説明】
【技術分野】
【０００１】
本発明は、非接触通信を行なう通信システム、通信装置及び通信方法に係り、特に、非接触通信を利用して著作権管理されたコンテンツのやり取りを行なう通信システム、通信装置及び通信方法に関する。
【背景技術】
【０００２】
非接触通信は、０〜数十ｃｍ程度の伝送距離でデータ伝送を行う無線技術であり、周辺に存在する反射物からの反射波が小さいため干渉の影響が少ない、伝送路上でハッキングの防止や秘匿性の確保を考慮する必要がない、といった利点がある。非接触通信方法には、静電結合方式、電磁誘導方式、電波通信方式などが挙げられる。
【０００３】
高速通信に適用可能な非接触通信技術として、微弱なＵＷＢ（Ｕｌｔｒａ  Ｗｉｄｅ  Ｂａｎｄ）信号を用いた近接無線転送「ＴｒａｎｓｆｅｒＪｅｔ（登録商標）」（例えば、特許文献１、非特許文献１を参照のこと）を挙げることができる。この近接無線転送技術（ＴｒａｎｓｆｅｒＪｅｔ）は、基本的に、誘導電界の結合作用を利用して信号を伝送する方式であり、その通信装置は、高周波信号の処理を行なう通信回路部と、グランドに対しある程度の高さで離間して配置された結合用電極と、結合用電極に高周波信号を効率的に供給する共振部で構成される。結合用電極、又は結合用電極と共振部を含んだ部品のことを、本明細書では「高周波結合器」とも呼ぶ。
【０００４】
非接触通信は、モバイル端末などに搭載され、認証情報や電子マネーその他の価値情報のメディアとして広く利用されてきた。最近では、通信速度の向上と相俟って、非接触通信のさらなるアプリケーションとして、動画像や音楽などコンテンツ・ファイルのダウンロードやストリーミングといった大容量データ伝送への適用が検討されている。
【０００５】
非接触通信を利用して、モバイル端末間でさまざまなデータの交換を行なうことができれば便利である。ところが、多くのディジタル・コンテンツは暗号化などにより著作権保護が施されており、単にデータを移動又は複製しただけでは、転送先のモバイル端末でコンテンツを利用することができない。すなわち、モバイル端末間でディジタル著作権管理されたコンテンツを非接触通信によりやり取りした後、コンテンツを受け取った側のモバイル端末では、別途セルラーネットワークやインターネットなどの広域ネットワークを介してライセンス管理サーバーからライセンス鍵データを取得しなければ、コンテンツを再生することができず、実用性がよくない。
【０００６】
すなわち、モバイル端末は、近隣のモバイル端末からコンテンツ自体のデータを非接触通信で受け取ることはできても、ネットワークに接続する機能がないとライセンス鍵を取得できないので、有料コンテンツを再生することはできない。
【０００７】
また、非接触通信機能を搭載したモバイル端末を所持する友人同士で有料コンテンツを薦めるといった利用形態が考えられる。その際、誰が誰に薦めたのかをシステム側で管理する仕組みがないので、薦めた人にポイントを還付するなどのインセンティブを与えたりして、友人知人にコンテンツを薦めるモチベーションを高めることができない。
【先行技術文献】
【特許文献】
【０００８】
【特許文献１】特許第４３４５８５１号公報
【非特許文献】
【０００９】
【非特許文献１】ｗｗｗ．ｔｒａｎｓｆｅｒｊｅｔ．ｏｒｇ／ｅｎ／ｉｎｄｅｘ．ｈｔｍｌ（平成２２年９月１日現在）
【発明の概要】
【発明が解決しようとする課題】
【００１０】
本発明の目的は、非接触通信を利用して著作権管理されたコンテンツのやり取りを好適に行なうことができる、優れた通信システム、通信装置及び通信方法を提供することにある。
【課題を解決するための手段】
【００１１】
本願は、上記課題を参酌してなされたものであり、請求項１に記載の発明は、
コンテンツのライセンス鍵を管理するライセンス管理サーバーにネットワーク経由で接続された第１の通信装置と、前記第１の通信装置と第１の非接触通信を行なう第２の通信装置と、前記第１の通信装置と第２の非接触通信を行なう第３の通信装置で構成され、
前記第１の通信装置は、
前記第１の非接触通信により前記第２の通信装置から著作権管理されたコンテンツを受け取るとともに、前記コンテンツを前記第２の非接触通信により前記第３の通信装置に転送し、
前記ネットワーク経由で前記ライセンス管理サーバーから前記コンテンツのライセンス鍵を取得して、前記第２の非接触通信により前記第３の通信装置に前記ライセンス鍵を転送する、
通信システムである。
【００１２】
但し、ここで言う「システム」とは、複数の装置（又は特定の機能を実現する機能モジュール）が論理的に集合した物のことを言い、各装置や機能モジュールが単一の筐体内にあるか否かは特に問わない。
【００１３】
また、本願の請求項２に記載の発明は、
第１及び第２の非接触通信部とネットワーク通信部を備え、
前記第１の非接触通信部により第２の通信装置から著作権管理されたコンテンツを受け取るとともに、前記コンテンツを前記第２の非接触通信部により第３の通信装置に転送し、
前記ネットワーク通信部によりライセンス管理サーバーから前記コンテンツのライセンス鍵を取得して、前記第２の非接触通信部により前記第３の通信装置に前記ライセンス鍵を転送する、
通信装置である。
【００１４】
本願の請求項３に記載の発明によれば、請求項２に記載の通信装置は、前記第３の通信装置に対し前記第２の非接触通信部により課金及び認証処理を行なった後に、前記ライセンス管理サーバーから前記コンテンツのライセンス鍵を取得して、前記第２の非接触通信部により前記第３の通信装置に前記ライセンス鍵を転送するように構成されている。
【００１５】
本願の請求項４に記載の発明によれば、請求項３に記載の通信装置は、前記第３の通信装置に対して課金したことに応じて、前記第２の通信装置に対して前記第１の非接触通信部によりポイントを支払うように構成されている。
【００１６】
本願の請求項５に記載の発明によれば、請求項２に記載の通信装置の第１又は第２の非接触通信部のうち少なくとも一方は、データを伝送する高周波信号の処理を行なう通信回路部と、前記通信回路部に接続される高周波信号の伝送路と、グランドと、前記グランドに対向して前記高周波信号の波長に対して無視し得る高さだけ離間するように支持される結合用電極と、前記伝送路を介して前記結合用電極に流れ込む電流を大きくするための共振部を備え、前記結合用電極に蓄えられた前記電荷の中心と前記グランドに蓄えられた鏡像電荷の中心を結ぶ線分からなる微小ダイポールを形成し、前記微小ダイポールの方向となす角θがほぼ０度となるように対向して配置された通信相手に向けて前記高周波信号を伝送するように構成されている。
【００１７】
また、本願の請求項６に記載の発明は、第１及び第２の非接触通信部とネットワーク通信部を備えた通信装置の通信方法であって、
前記第１の非接触通信部により前記第２の通信装置から著作権管理されたコンテンツを受け取るステップと、
前記コンテンツを前記第２の非接触通信部により前記第３の通信装置に転送するステップと、
前記ネットワーク通信部によりライセンス管理サーバーから前記コンテンツのライセンス鍵を取得するステップと、
前記第３の通信装置に対し前記第２の非接触通信部により課金及び認証処理を行なうステップと、
前記第２の非接触通信部により前記第３の通信装置に前記ライセンス鍵を転送するステップと、
を有する通信方法である。
【発明の効果】
【００１８】
本発明によれば、非接触通信を利用して著作権管理されたコンテンツのやり取りを好適に行なうことができる、優れた通信システム、通信装置及び通信方法を提供することができる。
【００１９】
本願の請求項１、２、３、６に記載の発明によれば、キオスク端末（第１の通信装置）の介在により、店頭やネットワークを介さずに、モバイル端末（第１、第２の通信装置）を所持するユーザー間で著作権管理されたコンテンツを流通させることができ、施設やネットワーク・インフラの負荷を低減することができる。
【００２０】
また、本願の請求項１に記載の発明によれば、第２の通信装置（モバイル端末）は潜在的にコンテンツの販売員になり得るので、販売の窓口が広がり、コンテンツの流通を促進することができる。本願の請求項４に記載の発明によれば、ユーザー（第２の通信装置）がキオスク端末（第１の通信装置）からポイントを受け取る仕組みが提供されるので、各ユーザーは友人知人にコンテンツを薦めるモチベーションが高まり、その結果としてコンテンツの流通を促進することができる。本願の請求項２、３、６に記載の通信装置は、例えばキオスク端末として動作して、モバイル端末間でのコンテンツの転送を中継するとともに、コンテンツの転送先のモバイル端末に代わってライセンス管理サーバーにアクセスして、ライセンス鍵を取得し、モバイル端末に転送することができる。
【００２１】
本願の請求項５に記載の発明によれば、非接触通信に微弱なＵＷＢ信号を用いた近接無線転送「ＴｒａｎｓｆｅｒＪｅｔ（登録商標）」を適用することで、１００Ｍｂｐｓ程度の超高速データ伝送を実現することができる。この結果、キオスク端末を中継したモバイル端末間のコンテンツの転送を短時間で行なうことができる。
【００２２】
本発明のさらに他の目的、特徴や利点は、後述する本発明の実施形態や添付する図面に基づくより詳細な説明によって明らかになるであろう。
【図面の簡単な説明】
【００２３】
【図１】図１は、ネットワーク接続されたキオスク端末を経由して、非接触通信によりモバイル端末間で著作権管理されたコンテンツをやり取りする通信システムの構成例を示した図である。
【図２】図２は、図１に示した通信システム１０において、著作権管理されたモバイル端末間で転送する際の動作シーケンスを示した図である。
【図３】図３は、図１に示した通信システム１０において、キオスク端末１１として動作することができる通信装置の構成例を模式的に示した図である。
【図４】図４は、図１に示した通信システム１０において、モバイル端末１２又は１３として動作することができる通信装置の構成例を模式的に示した図である。
【図５】図５は、近接無線転送に用いられる高周波結合器の構成例を模式的に示した図である。
【図６】図６は、微小ダイポールによる電界を表した図である。
【図７】図７は、図１に示した通信システムにおいて、図２に示した動作シーケンスを行なう際に、第１のモバイル端末１２が実行する処理手順を示したフローチャートである。
【図８】図８は、図１に示した通信システムにおいて、図２に示した動作シーケンスを行なう際に、キオスク端末１１が実行する処理手順を示したフローチャートである。
【図９】図９は、図１に示した通信システムにおいて、図２に示した動作シーケンスを行なう際に、第２のモバイル端末１３が実行する処理手順を示したフローチャート
【図１０】図１０は、ネットワーク接続されたキオスク端末を中継してモバイル端末が有料コンテンツを購入する通信システム１００の構成例を模式的に示した図である。
【図１１】図１１は、ディジタル・コンテンツを購入する際の流れ（従来例）を説明するための図である。
【図１２】図１２は、モバイル端末間でコンテンツのやり取りを行なう際の流れ（従来例）を説明するための図である。
【発明を実施するための形態】
【００２４】
以下、図面を参照しながら本発明の実施形態について詳細に説明する。
【００２５】
店頭やネットワークを介さずに、ユーザー同士でコンテンツを流通させることができれば、施設やネットワーク・インフラの負荷を低減することができる。潜在的にすべてのユーザーがコンテンツの販売員になり得る、ということで、販売の窓口が広がり、コンテンツの流通を促進することができる。また、コンテンツ販売したユーザーにポイントなどのインセンティブを与える仕組みがあれば、友人知人にコンテンツを薦めるモチベーションが高まり、その結果としてコンテンツの流通を促進することができる。
【００２６】
一方、有料コンテンツの多くは、不正コピーによる無制限な利用を防止するために、ディジタル著作権管理（Ｄｉｇｉｔａｌ  Ｒｉｇｈｔ  Ｍａｎａｇｅｍｅｎｔ：ＤＲＭ）が施されている。著作権管理されたコンテンツを再生するためは、コンテンツ本体のデータに加えて、ライセンス鍵が必要である。コンテンツの不正利用を防止するという目的から、一般には、ユーザー間でコンテンツ本体のデータをやり取りできてもライセンス鍵をコピーして使用することはできない。このため、コンテンツを再生したいユーザーは、少なくとも一度はネットワークに接続してライセンス管理サーバーからライセンス鍵を取得する必要がある。言い換えれば、ネットワークに接続する機能がないと、有料コンテンツを再生することはできない。
【００２７】
図１１には、ディジタル・コンテンツを購入する際の流れ（従来例）を図解している。ＩＰ（Ｉｎｔｅｒｎｅｔ  Ｐｒｏｔｏｃｏｌ）ネットワークに接続されたＰＣ（Ｐｅｒｓｏｎａｌ  Ｃｏｍｐｕｔｅｒ）は、ネットワークを通じて、コンテンツ提供サーバーからコンテンツをダウンロードするとともに、ライセンス管理サーバーとの間で課金及び認証処理を行なった後に、ライセンス鍵を取得する。ＰＣ上では、ダウンロードしたコンテンツを、ライセンス鍵を用いて再生することができる。
【００２８】
また、図１２には、モバイル端末間でコンテンツのやり取りを行なう際の流れ（従来例）を図解している。第１のモバイル端末及び第２のモバイル端末がともに非接触通信機能を搭載している場合、非接触通信を利用して第１のモバイル端末から第２のモバイル端末へコンテンツ・ファイルを移動又はコピーすることができる。しかしながら、コンテンツの不正利用を防止するという目的から、ライセンス鍵を第１のモバイル端末から第２のモバイル端末へ転送することはできないため、第２のモバイル端末側でコンテンツを再生することはできない。第２のモバイル端末は、別途セルラーネットワークなどを介してＩＰネットワークに接続して、ライセンス管理サーバーとの間で課金及び認証処理を行ない、ライセンス鍵を取得する必要がある。このような手順よりも、むしろ第２のモバイル端末はネットワーク接続してコンテンツをダウンロードする方が簡単で済む。モバイル端末間でコンテンツ・ファイルをやり取りするメリットがなく、言い換えれば、ユーザーはコンテンツの販売員にはなり得ず、コンテンツの流通が進まない。
【００２９】
そこで、本発明者は、ネットワーク接続されたキオスク端末を中継して、非接触通信によりモバイル端末間で有料の（すなわち、著作権管理された）コンテンツをやり取りする通信システムを提案する。図１には、この通信システム１０の構成例を模式的に示している。
【００３０】
図示の通信システム１０は、ネットワーク接続部と第１及び第２の非接触通信部を備えるキオスク端末１１と、コンテンツの転送元となる第１のモバイル端末１２と、コンテンツの転送先となる第２のモバイル端末１３で構成される。キオスク端末１１は、ネットワーク接続して、ライセンス管理サーバー１４からコンテンツのライセンス鍵を取得することができる。また、第１の非接触通信部と第２の非接触通信部は、互いに干渉せずに独立して動作することができるものとする。
【００３１】
第１のモバイル端末１２と第２のモバイル端末１３は、それぞれ非接触通信部を備えている。各モバイル端末の非接触通信部は同じ通信方式である必要はないが、以下では、キオスク端末１１の第１の非接触通信部は、第１のモバイル端末１２の非接触通信部と同じ通信方式であり、キオスク端末１１の第２の非接触通信部は、第２のモバイル端末１３の非接触通信部と同じ通信方式であるとする。また、キオスク端末１１の第1の非接触通信部と第２の非接触通信部は、互いに干渉しないように十分な距離をへだてて設置される。したがって、キオスク端末１１は、第１のモバイル端末１２及び第２のモバイル端末１３とは、互いに混信せずに同時に通信することができる。
【００３２】
なお、キオスク端末１１は、チケットのオンライン販売や、カメラ画像のプリント、銀行のＡＴＭサービスなど、キオスク端末本来の機能を装備してもよいが、コンテンツ転送の中継には関連しないその他の機能は本発明の要旨でないので、本明細書では説明を省略する。
【００３３】
まず、キオスク端末１１の第１の非接触通信部に第１のモバイル端末１２を、キオスク端末１１の第２の非接触通信部に第２のモバイル端末１３を、同時にかざす。
【００３４】
そして、第１の非接触通信部を介して、第１のモバイル端末１２内のコンテンツ・ファイルをキオスク端末１１に移動（又はコピー）すると、続いて、第２の非接触通信部によって、キオスク端末１１から第２のモバイル端末１２にコンテンツ・ファイルを移動する。
【００３５】
第２のモバイル端末１３は、第２の非接触通信部（又はその他の課金認証手段、例えば「ＦｅｌｉＣａ（登録商標）」）を使って、キオスク端末１１を経由して課金認証とライセンス鍵の取得を行なう。したがって、第２のモバイル端末１３が別途、自らネットワーク上のライセンス管理サーバー１４に接続しなくても、有料コンテンツを再生することができる。
【００３６】
第１のモバイル端末１２は、第２のモバイル端末１３へコンテンツ・ファイルを提供するので、潜在的にコンテンツの販売者になり得る。第１のモバイル端末１がコンテンツ・ファイルを提供したことに伴って、キオスク端末１１は、第１の非接触通信部（又はその他の課金認証手段、例えば「ＦｅｌｉＣａ（登録商標）」）を使って、第１のモバイル端末１２に対し、コンテンツ販売の見返りとして手数料の支払いを行なうか若しくはこれに相当するポイントを還付する。このようなポイントの還付は、モバイル端末のユーザーにとって、友人知人にコンテンツを薦めるモチベーションとなる。コンテンツを薦めるユーザーが増えると、コンテンツ販売の窓口が広がるので、コンテンツの流通を促進することができる。
【００３７】
図２には、図１に示した通信システム１０において、著作権管理されたモバイル端末間で転送する際の動作シーケンスを示している。キオスク端末１１の第１の非接触通信部に第１のモバイル端末１２を、キオスク端末１１の第２の非接触通信部に第２のモバイル端末１３を、それぞれかざしているとする。
【００３８】
まず、第１のモバイル端末１２内のコンテンツ・ファイルが、第１の非接触通信部を介して、キオスク端末１１に転送される。
【００３９】
キオスク端末１１は、ライセンス管理サーバー１４とネットワーク接続して、第１のモバイル端末１２から受け取ったコンテンツ・ファイルについてのライセンス鍵の取得を依頼する。これに対し、ライセンス管理サーバー１４は、依頼されたライセンス鍵を、ネットワーク経由でキオスク端末１１に送信する。
【００４０】
続いて、キオスク端末１１は、第１のモバイル端末１２から受け取ったコンテンツとそのライセンス鍵を、第２のモバイル端末１３に転送する。図２では、詳細な手続を省略して描いたが、ライセンス鍵を転送する際には、キオスク端末１１は、第２のモバイル端末１３との間で課金及び認証処理を行なう。
【００４１】
そして、キオスク端末１１は、第２のモバイル端末１３から転送完了通知を受信すると、第１のモバイル端末１２に対し、手数料の支払いやポイントの還付などのコンテンツ販売の見返りとして成功報酬を送信する。
【００４２】
図１に示した通信システム１０では、容量の大きなコンテンツ・ファイルのやり取りは、非接触通信というローカルの通信手段を用いて行なわれ、課金及び認証処理やライセンス鍵の取得など容量の小さいデータのやり取りのみ公共のネットワークを用いるので、ネットワーク・インフラの負荷を軽減することができる。
【００４３】
第１のモバイル端末１２と第２のモバイル端末１３の間で著作権管理されたコンテンツをやり取りするが、受け取り側となる第２のモバイル端末１３は、別途自らネットワークに接続しなくても、キオスク端末１１の中継によりコンテンツのやり取りと同時にライセンス鍵を取得して、コンテンツを再生することができる。
【００４４】
また、コンテンツのやり取りには必ずキオスク端末１１が中継することから、誰から誰にコンテンツが渡されたのか（言い換えれば、コンテンツの販売員となったユーザーは誰か）がキオスク端末１１で明確になる。したがって、上述したように、キオスク端末１１は、コンテンツを提供した第１のモバイル端末１２に対して、コンテンツ販売の手数料若しくはこれに相当するポイントを還付するようなサービスを行なうことができる。
【００４５】
コンテンツ・ファイルのような大容量のデータは、公共のネットワークを介することなく、第１のモバイル端末１２、キオスク端末１１、第２のモバイル端末１３の３者間だけのローカルな通信により行なわれ、ライセンス鍵などのデータ量の少ない情報のみネットワークでやり取りするので、ネットワーク・インフラに対する負荷を低減することができる。
【００４６】
キオスク端末１１が持ち歩き可能で且つネットワーク接続機能を備えた小型の通信装置で構成される場合、第１のモバイル端末１２にダウンロードした有料のコンテンツを、ネットワーク接続機能のないカーオーディオなどにも転送して再生することができる。
【００４７】
なお、著作権管理されたコンテンツの多くは、コピー回数が制限されている。図１に示した通信システム１０では、規定の回数を使い切ったコンテンツであっても、キオスク端末１１を経由する場合に限りモバイル端末間で追加のコピーを許容しても、コンテンツの著作権を保護することができる。追加のコピーを行なう際には、キオスク端末１１は、コピー先のモバイル端末に対してコピー手数料を徴収するようにすることもできる。
【００４８】
図３には、図１に示した通信システム１０において、キオスク端末１１として動作することができる通信装置３０の構成例を模式的に示している。
【００４９】
通信装置３０は、第１の非接触通信部３１と、第２の非接触通信部３２と、ネットワーク接続部３３と、制御部３４を備えている。
【００５０】
第１の非接触通信部３１と第２の非接触通信部３２は、互いに干渉せずに独立して動作することができる。第１の非接触通信部３１と第２の非接触通信部３２は、同じ通信方式である必要はないが、第１の非接触通信部３１は第１のモバイル端末１２（コンテンツの転送元）の非接触通信部と同じ通信方式であり、第２の非接触通信部３２は第２のモバイル端末１３（コンテンツの転送先）の非接触通信部と同じ通信方式である。
【００５１】
ネットワーク接続部３３は、ＴＣＰ／ＩＰなどの通信プロトコルに従って、インターネットなどの公共のネットワークに接続することができる。通信装置３０は、ネットワーク接続部３３を通じて、公共のネットワーク上のライセンス管理サーバー１４からコンテンツのライセンス鍵を取得することができる。
【００５２】
制御部３４は、通信装置３０の動作を統括的にコントロールする。本実施形態では、制御部３４は、第１の非接触通信部３１及び第２の非接触通信部３２で通信するモバイル端末間でのコンテンツ転送を中継するコンテンツ転送機能と、モバイル端末間で転送されるコンテンツのライセンス鍵をライセンス管理サーバーから取得するライセンス鍵取得機能、コンテンツ及びライセンス鍵をコンテンツ転送先のモバイル端末に送信する際に課金及び認証処理を行なう課金・認証処理機能、コンテンツの転送元のモバイル端末に対しコンテンツを提供したことの見返りとしてポイントの還付などのポイント管理機能を実現する。
【００５３】
図４には、図１に示した通信システム１０において、モバイル端末１２又は１３として動作することができる通信装置４０の構成例を模式的に示している。
【００５４】
通信装置４０は、非接触通信部４１と、制御部４２と、コンテンツ蓄積部４３と、コンテンツ再生部４４と、ユーザー・インターフェース４５を備えている。
【００５５】
非接触通信部４１は、通信装置４０をキオスク端末にかざしたときに非接触通信による接続を確立し、コンテンツ・ファイルやライセンス鍵などのデータ通信が可能になる。
【００５６】
コンテンツ蓄積部４３は、他のモバイル端末からキオスク端末経由で転送されたコンテンツや、その他の手段により取得したコンテンツを蓄積する。コンテンツ再生部４４は、コンテンツ蓄積部４３に蓄積されているコンテンツを、キオスク端末から取得したライセンス鍵を用いて再生処理する。
【００５７】
ユーザー・インターフェース４５は、再生コンテンツやその他の画面データを出力する表示画面や、ユーザー操作を受け付ける操作部などを備えている。
【００５８】
制御部４２は、非接触通信部４１、コンテンツ蓄積部４３、コンテンツ再生部４４、ユーザー・インターフェース４５など、通信装置４０内部の動作を統括的にコントロールする。
【００５９】
なお、キオスク端末とモバイル端末間で行なう非接触通信は特定の通信方式に限定されず、静電結合方式、電磁誘導方式、電波通信方式などのうちいずれでもよい。微弱なＵＷＢ信号を用いた近接無線転送「ＴｒａｎｓｆｅｒＪｅｔ（登録商標）」を用いると、キオスク端末で中継したモバイル端末間のコンテンツ転送において、１００Ｍｂｐｓ程度の超高速データ伝送を実現することができる。近接無線転送技術の原理について、説明しておく。
【００６０】
近接無線転送には、アンテナ・エレメントとして、図５に示すような高周波結合器が用いられる。高周波結合器は、平板状の結合用電極５１と、直列インダクター５２並びに並列インダクター５３からなる共振部を備え、高周波信号伝送路５５を介して通信回路部５６に接続される。
【００６１】
結合用電極５１には、高周波の通信信号が流れ込んで、電荷を蓄える。このとき、直列インダクター５２及び並列インダクター５３からなる共振部の共振作用によって、伝送路を介して結合用電極５１に流れ込む電流は増幅され、より大きな電荷が蓄えられる。また、結合用電極５１に電荷が蓄えられると、グランド５４には鏡像電荷が蓄えられる。平面導体の外部に点電荷Ｑを置くと、平面導体内には（表面電荷分布を置き換えた仮想的な）鏡像電荷−Ｑが配置されるが、このことは、例えば溝口正著「電磁気学」（裳華房、第５４頁乃至第５７頁）にも記載されているように、当業界で周知である。
【００６２】
上述のように点電荷Ｑ及び鏡像電荷−Ｑが蓄えられた結果、結合用電極５１に蓄えられた電荷の中心とグランド５４に蓄えられた鏡像電荷の中心を結ぶ線分からなる微小ダイポールが形成される。厳密に言うと、電荷Ｑと鏡像電荷−Ｑは体積を持ち、微小ダイポールが電荷の中心と鏡像電荷の中心を結ぶように形成される。ここで言う「微小ダイポール」は、「電気ダイポールの電荷間の距離が非常に短いもの」を指す。例えば虫明康人著「アンテナ・電波伝搬」（コロナ社、１６頁〜１８頁）にも、「微小ダイポール」が記載されている。そして、微小ダイポールによって、電界の横波成分Ｅθ、電界の縦波成分ＥR、微小ダイポール回りの磁界Ｈφが発生する。
【００６３】
図６には、微小ダイポールによる電界を表している。図示のように、電界の横波成分Ｅθは伝搬方向と垂直な方向に振動し、電界の縦波成分ＥRは伝搬方向と平行な向きに振動する。また、微小ダイポール回りには磁界Ｈφが発生する。下式（１）〜（３）は微小ダイポールによって生成される電磁界を表している。同式中、距離Ｒの３乗に反比例する成分は静電磁界、距離Ｒの２乗に反比例する成分は誘導電磁界、距離Ｒに反比例する成分は放射電磁界である。
【００６４】
【数１】
2012060555.tif 000003
【００６５】
周辺システムへの妨害波を抑制するには、放射電界の成分を含む横波Ｅθを抑制しながら、放射電界の成分を含まない縦波ＥRを利用することが好ましいと考えられる。何故ならば、上式（１）、（２）から分かるように、電界の横波成分Ｅθは距離に反比例する（すなわち、距離減衰の小さい）放射電界を含むのに対して、縦波成分ＥRは放射電界を含まないからである。
【００６６】
上式（２）から、縦波ＥR成分は微小ダイポールの方向となす角θ＝０度で極大となることが分かる。したがって、電界の縦波ＥRを効率的に利用して非接触通信を行なうには、微小ダイポールの方向となす角θがほぼ０度となるように対向して通信相手側の高周波結合器を配置して、高周波の電界信号を伝送することが好ましい。また、直列インダクター５２と並列インダクター５３からなる共振部によって、結合用電極５１に流れ込む高周波信号の電流をより大きくすることができる。この結果、結合用電極５１に蓄積される電荷とグランド側の鏡像電荷によって形成される微小ダイポールのモーメントを大きくすることができ、微小ダイポールの方向となす角θがほぼ０度となる伝搬方向に向かって、縦波ＥRからなる高周波の電界信号を効率的に放出することができる。
【００６７】
続いて、図１に示した通信システム１０において、キオスク端末１１及び各モバイル端末１２、１３が実行する処理動作について説明する。
【００６８】
図７には、図１に示した通信システムにおいて、図２に示した動作シーケンスを行なう際に、第１のモバイル端末１２が実行する処理手順をフローチャートの形式で示している。図示の処理手順は、第１のモバイル端末１２として動作する通信装置４０において制御部４２が所定のプログラム・コードを実行することで実現することができる。
【００６９】
まず、第１のモバイル端末１２を所持するユーザーが、購入済みのコンテンツ（コンテンツ蓄積部４３に蓄積されているコンテンツ）のうち、友人知人に薦めるコンテンツを、ユーザー・インターフェース４５を介して選択する（ステップＳ７１）。
【００７０】
第１のモバイル端末１２は、ユーザーが選択したコンテンツ・ファイルを、非接触通信部４１を通じてキオスク端末１１に転送する（ステップＳ７２）。
【００７１】
ここで、友人知人は第２のモバイル端末１３を所持し、これをキオスク端末１１にかざしているとする。第２のモバイル端末１３側では、ユーザーは、転送したコンテンツ・ファイルを受け取ることもあれば、受け取りすなわち購入を拒否することもある。コンテンツの受け取りを拒否する場合には、そのまま本処理ルーチンを終了する。
【００７２】
第２のモバイル端末１３がコンテンツを受け取ったときには（ステップＳ７３のＹｅｓ）、コンテンツを薦めたことに対する成功報酬に相当するポイントの還付若しくは手数料を受領して（ステップＳ７４）、本処理ルーチンを終了する。
【００７３】
図８には、図１に示した通信システムにおいて、図２に示した動作シーケンスを行なう際に、キオスク端末１１が実行する処理手順をフローチャートの形式で示している。図示の処理手順は、キオスク端末１１として動作する通信装置３０において制御部３４が所定のプログラム・コードを実行することで実現することができる
【００７４】
キオスク端末１１は、第１の非接触通信部３１で第１のモバイル端末１２からコンテンツ・ファイルを受信すると（ステップＳ８１）、これを一時保存し、このコンテンツのライセンス鍵をライセンス管理サーバー１４から取得することができるかどうかをチェックする（ステップＳ８２）。該当するライセンス鍵を取得できないときには（ステップＳ８２のＮｏ）、第１のモバイル端末１２から受け取り、一時保存しておいたコンテンツ・ファイルを消去して（ステップＳ８８）、本処理ルーチンを終了する。
【００７５】
ライセンス鍵を取得可能なときには（ステップＳ８２のＹｅｓ）、このコンテンツを第２のモバイル端末１３が受け取るかどうかを、第２の非接触通信部３２を通じてチェックする（ステップＳ８３）。第２のモバイル端末１３側でコンテンツの受け取りを拒否する場合には（ステップＳ８３のＮｏ）、第１のモバイル端末１２から受け取り、一時保存しておいたコンテンツ・ファイルを消去して（ステップＳ８８）、本処理ルーチンを終了する。
【００７６】
第２のモバイル端末１３がコンテンツを受け取るときには（ステップＳ８３のＹｅｓ）、キオスク端末１１は、ネットワーク通信部３３を通じてライセンス管理サーバー１４に接続してライセンス鍵を取得するとともに（ステップＳ８４）、第２の非接触通信部３２を通じて第２のモバイル端末１３に対して課金及び認証処理を行ない（ステップＳ８５）、第２のモバイル端末１３にコンテンツ・ファイルを送信する（ステップＳ８６）。
【００７７】
また、キオスク端末１１は、第１のモバイル端末１２に対しては、第１の非接触通信部３１を通じて、コンテンツを薦めたことに対する成功報酬に相当するポイントの還付又は手数料の支払いを行なう（ステップＳ８７）。
【００７８】
そして、キオスク端末１１は、第１のモバイル端末１２から受け取り、一時保存しておいたコンテンツ・ファイルをメモリーから消去して（ステップＳ８８）、本処理ルーチンを終了する。
【００７９】
図９には、図１に示した通信システムにおいて、図２に示した動作シーケンスを行なう際に、第２のモバイル端末１３が実行する処理手順をフローチャートの形式で示している。図示の処理手順は、第２のモバイル端末１３として動作する通信装置４０において制御部４２が所定のプログラム・コードを実行することで実現することができる
【００８０】
第２のモバイル端末１３側では、ユーザーは、ユーザー・インターフェース４５を介して、薦められたコンテンツを受け取るかどうかを選択する（ステップＳ９１）。選択した結果は、非接触通信部３１を通じてキオスク端末１１に伝えられる。
【００８１】
そして、ユーザーがコンテンツを受け取ることを選択したときには（ステップＳ９１のＹｅｓ）、第２のモバイル端末１３は、非接触通信部３１を通じて、キオスク端末１１を中継してコンテンツ・ファイルを受け取るとともに（ステップＳ９２）、キオスク端末１１との間で課金及び認証処理を行ない（ステップＳ９３）、受け取ったコンテンツ・ファイルのライセンス鍵を取得して（ステップＳ９４）、本処理ルーチンを終了する。その後、第２のモバイル端末１３では、取得したライセンス鍵を用いてコンテンツの再生が可能になる。また、ユーザーがコンテンツを受け取ることを拒否したときには（ステップＳ９１のＮｏ）、そのまま本処理ルーチンを終了する。
【００８２】
なお、これまでの説明では、キオスク端末が２台のモバイル端末間で有料コンテンツのやり取りを中継する実施形態について説明してきたが、キオスク端末はモバイル端末による有料コンテンツの購入を中継することもできる。この場合も、モバイル端末は、自らネットワークに接続することなしに、ネットワーク上のコンテンツ提供サーバーが提供するコンテンツを受け取り、ライセンス管理サーバーからライセンス鍵を購入することができる。
【００８３】
図１０には、ネットワーク接続されたキオスク端末を中継してモバイル端末が有料コンテンツを購入する通信システム１００の構成例を模式的に示している。
【００８４】
図示の通信システム１００は、ネットワーク接続部と非接触通信部を備えるキオスク端末１０１と、非接触通信部を備え、コンテンツを購入するモバイル端末１０２で構成される。キオスク端末１０１及びモバイル端末１０２の非接触通信部は同じ通信方式とする。キオスク端末１０１、モバイル端末１０２は、それぞれ図３、図４に示した装置構成を備えるものとする。
【００８５】
まず、モバイル端末１０２をキオスク端末１０１にかざす。モバイル端末１０２は、直接は非接触通信を通じてキオスク端末１０１と接続するのみであるが、キオスク端末１０１は公共のネットワークに接続されており、ネットワーク上のサーバーとのやり取りを中継することができる。
【００８６】
モバイル端末１０２のユーザーは、ユーザー・インターフェース４５を介して、購入したいコンテンツを選択すると、この選択結果は非接触通信を通じてキオスク端末１０１に伝えられる。または、ユーザーは、キオスク端末１０１のディスプレイに表示されたコンテンツの中から、購入したいものを選択する。キオスク端末１０１は、選択されたコンテンツ・ファイルをコンテンツ提供サーバー１０４からネットワーク経由で取得すると、非接触通信によりモバイル端末１０２に転送する。
【００８７】
続いて、キオスク端末１０１は、コンテンツのライセンス鍵を提供するライセンス管理サーバー１０５とモバイル端末１０２との間の課金及び認証処理を中継する。
【００８８】
モバイル端末１０２は、この課金及び認証処理を経て、コンテンツのライセンス鍵をキオスク端末１０１の中継により取得することができる。その後、モバイル端末１０２は、ライセンス鍵を用いて、取得したコンテンツを再生することができる。
【産業上の利用可能性】
【００８９】
以上、特定の実施形態を参照しながら、本発明について詳細に説明してきた。しかしながら、本発明の要旨を逸脱しない範囲で当業者が該実施形態の修正や代用を成し得ることは自明である。
【００９０】
本発明に適用される非接触通信システムは、コンテンツ・データを転送可能な容量や通信速度を備えていれば、特定の通信方式に限定されるものではなく、微弱なＵＷＢ信号を用いた近接無線転送「ＴｒａｎｓｆｅｒＪｅｔ（登録商標）」や、静電結合方式、電磁誘導方式、電波通信方式などの非接触通信技術であってもよい。
【００９１】
要するに、例示という形態で本発明を開示してきたのであり、本明細書の記載内容を限定的に解釈するべきではない。本発明の要旨を判断するためには、特許請求の範囲を参酌すべきである。
【符号の説明】
【００９２】
１０…通信システム
１１…キオスク端末
１２…第１のモバイル端末
１３…第２のモバイル端末
１４…ライセンス管理サーバー
３０…通信装置（キオスク端末）
３１…第１の非接触通信部
３２…第２の非接触通信部
３３…ネットワーク接続部
３４…制御部
４０…通信装置（モバイル端末）
４１…非接触通信部
４２…制御部
４２…コンテンツ蓄積部
４４…コンテンツ再生部
４５…ユーザー・インターフェース
５１…結合用電極
５２…直列インダクター
５３…並列インダクター
５４…グランド
５５…高周波信号伝送路
５６…通信回路部
１００…通信システム
１０１…キオスク端末
１０２…モバイル端末
１０４…コンテンツ提供サーバー
１０５…ライセンス管理サーバー
【図１】
2012060555.tif 000004
【図２】
2012060555.tif 000005
【図３】
2012060555.tif 000006
【図４】
2012060555.tif 000007
【図５】
2012060555.tif 000008
【図６】
2012060555.tif 000009
【図７】
2012060555.tif 000010
【図８】
2012060555.tif 000011
【図９】
2012060555.tif 000012
【図１０】
2012060555.tif 000013
【図１１】
2012060555.tif 000014
【図１２】
2012060555.tif 000015